(57)【要約】【課題】農産物に対し適切な農薬以外使用出来ない様にし、違法農薬の使用を防止すること及び農産物に対し適切な農薬管理をするようにし、残留農薬の問題を解決すること。【解決の手段】農薬管理倉庫において、不適切な農薬が入庫時、在庫時、出庫時に排除できるシステムを構築すること及び農薬を管理する者を認証するシステムによる農薬管理の監視で、農薬管理の不具合を発生させない。【選択図】    図１
2004217419.tif 000002
【特許請求の範囲】
【請求項１】
適切な農薬を使用するために、農薬倉庫（８）を基点とした農薬の入庫、在庫、出庫の仕組みを特徴とした農薬管理支援システムで、農産物に対し、適切なものを使用するために適切な農薬以外入庫させない機能を有する。具体的には、新規に入庫した農薬が作物に対して適切か否かを判定する農薬データベース（３）の照合により、適切な農薬だけを倉庫（８）に認証された人（２）だけが入庫することを特徴とする。
【請求項２】
請求項１で記載した新規入庫農薬の全てに、本システムが発行するバーコードラベル（４）等を貼り付ける手段を有する。
【請求項３】
請求項１で記載した農薬入庫の仕組みの内、一旦出庫された農薬が回収され、再度入庫することが出来る機能を有するシステム。具体的には、再入庫された農薬のバーコードを読み込み（５）、使用期限、外観検査等の確認とともに、適切な農薬だけを倉庫（８）に認証された人（２）だけが入庫処理することを特徴とする。
【請求項４】
請求項１で記載した農薬在庫の仕組みの内、適切なもの以外の在庫品の混在が即座に人間が判別できる機能を有する。具体的には、農薬倉庫（８）内で個々の農薬に対応して位置番号が設定されており、請求項１および請求項２の処理で入庫されたものは、バーコードラベルが貼られた状態で所定の位置に在庫されている。目視にて在庫品を確認し、バーコードラベルが貼られていないものは即座に不適切なものと判断され（第三者が入庫した場合等）、請求項１の入庫ルーティンにさしもどされる機能を有する。
【請求項５】
請求項１で記載した農薬出庫の仕組みの内、農薬を管理出来る認証者（１０）のみが農薬を出庫できる機能を有し、出庫者を認証するデータベース（１１）により、適切な農薬以外出庫させない。具体的には、認証された者のみが出庫する農薬のバーコードラベルを読み込み、農産物に対する農薬が適切か否かをリアルタイムに農薬データベース（３）より判定され、適切な農薬のみが出庫可能となる。
【請求項６】
請求項１で記載した仕組みと、対象農産物を明記した農薬出庫指示（９）との関連付けにより、農産物に対する農薬を適切に管理する機能を有する。
【発明の詳細な説明】
【０００１】
【発明の属する技術分野】
本発明は、農産物における違法農薬の使用及び残留農薬に関するシステムである。
【０００２】
【従来の技術】
農産物に於ける農薬の管理作業に関し、農産物と農薬の管理作業管理が十分把握されておらず、野菜等の違法農薬の使用や残留農薬が問題になった時、迅速かつ適切な対応ができない。
【０００３】
更に農薬の購入、在庫、使用、廃棄の管理がシステム化されていない為、たとえ業務関係者であっても不適切な農薬の取り扱いや使用を確実に防止できない。
【０００４】
【発明が解決しようとする課題】
農産物に対し適切な農薬以外使用出来ない様に、農薬倉庫（８）を基点とした農薬の入庫、在庫、出庫の仕組みをつくり、違法農薬の使用を防止する。
【０００５】
更には、農薬の入庫、在庫、出庫の各状況で、農薬の適切か否かを本システムが監視し、二重三重の確認体制を確立する。
【０００６】
また、農産物に対し、適切な農薬管理をする為に、管理することを認証された者が農薬の出庫及び管理作業を監視することで、残留農薬の問題を解決する。
【０００７】
【発明が解決するための手段】
その為に、２つの入庫形態の内、新規に入庫した農薬（１）が作物に対して適切か否かを判定する農薬データベース（３）を利用し、農薬入庫用パソコン（２）で適切な農薬だけを入庫登録する。
【０００８】
それと同時に、農薬入庫用パソコン（２）で入庫登録者の認証確認を実施する。
【０００９】
更に、入庫した農薬の数を確認し、システムにより入庫数分のバーコードラベル（４）を発行し、農薬に貼り付ける。
【００１０】
バーコードラベル（４）が貼られた農薬は、システムが指定した保管場所に認証者が保管する。
【００１１】
２つの入庫形態の内農薬が出庫された後、更に回収による入庫（１９）がある。この場合、農薬入庫用パソコン（６）にて入庫した農薬のバーコードラベル（４）を読み込み、農薬名、入庫した数、使用期限や外観検査等を実施し、回収による入庫処理となる。
【００１２】
それと同時に、農薬入庫用パソコン（６）で、入庫登録者の認証確認を実施し、適切な者による入庫処理が実現できる。
【００１３】
この二つの入庫方法により、保管倉庫（８）には、適切な農薬以外入庫されないことになる。
【００１４】
保管倉庫（８）に在庫された農薬は、全てバーコードラベル（４）が貼られている状態である。随意に現物を目視で確認するだけで、バーコードラベル（４）が貼られていない農薬を不適切と判断することが出来る。
【００１５】
不適切と判断された農薬は、新規入庫処理ルーティンに差戻す事で、適切化田舎の判断が可能になる。
【００１６】
保管庫（８）に在庫された農薬は、常にシステムにより在庫状況が把握されており、必要とされる時、必要な数だけ管理されている。
【００１７】
農薬の出庫は、対象となる農地と農作物が指定された出庫指示書（９）により出庫される。
【００１８】
出庫は、出庫登録用パソコン（１１）により、農薬出庫者（１０）の認証が実施され、農薬管理認証者のみが農薬を出庫できる。
【００１９】
もし、農薬管理認証者でなかった場合、出庫登録用パソコン（１１）により農薬出庫者（１０）に農薬管理研修の受講を義務付ける指示書を発行する。
【００２０】
出庫は、出庫する農薬が作物に対して適切か否かを判定する農薬データベース（１４）を利用し、農薬出庫登録用パソコン（１３）で適切な農薬だけを出庫登録する。
【００２１】
と同時に、農薬管理指示書を発行する。
【００２２】
農薬管理は、農薬管理認証者が実施し、農薬の使用結果を農薬管理指示書に記入する。
【００２３】
農薬の使用結果に於いて、残数が発生した場合、開封されたものについては廃棄処理をする。
【００２４】
農薬の使用結果に於いて、残数が発生した場合、未開封のものについては、回収処理（１８）を実施する。
【００２５】
農薬の使用結果に於いて、完全に使用された場合、農薬管理指示書に完了を記入する。
【００２６】
【発明の効果】
本システムにより、不適切な農薬は入庫時に除外される。また第三者等により、意識的若しくは無意識的に外部から不適切な農薬が混入されても排除できる為、保管時に於いても不適切な農薬は除外される。
更に、農薬の出庫に於いても本システムにより不適切な農薬は除外される為、使用する農薬そのものに不適切なものが存在する可能性は極めて低い。
農薬管理に関しても、システムにより認証された管理者が、農薬を管理する為、結果的には適切な農薬が適切な管理者により管理されることになり、農薬の残留や違法農薬の使用を防ぐことが出来る。
【図面の簡単な説明】
【図１】残留農薬防止のための農薬入庫、在庫、出庫、回収処理の業務フロー図
【符号の説明】
１農薬入庫指示
２認証者による農薬入庫用パソコン等端末画面
３農薬の適不適の判断用データベース
４新規入庫の農薬用バーコードラベル
５回収した農薬のバーコードラベル読取処理
６認証者による回収農薬入庫用パソコン等端末画面
７回収農薬数処理用データベース
８農薬倉庫
９農薬出庫指示
１０認証者による農薬出庫用パソコン等端末画面
１１農薬出庫者の適不適の判定用データベース
１２農薬に貼られたバーコード等の認証読取
１３認証者による農薬出庫登録用パソコン等端末画面
１４出庫農薬の適不適の判定用データベース
１５農薬管理報告
１６出庫農薬完全使用確認
１７出庫農薬残数廃棄確認
１８出庫農薬残数回収数量確認
１９出庫農薬残数回収数量報告
２０回収農薬流れ
【図１】
2004217419.tif 000003